(57)【要約】【課題】  風による雨水の浸入を防ぐことができ、しかも、高い換気性能を確保することができる棟換気構造を提供する。【解決手段】  棟を挟む両側にそれぞれ、小屋裏空間３側と屋外とを連通する換気口４，４が設けられると共に、各換気口４，４に該換気口を開閉する開閉板５，５が設けられ、棟線方向と直交する横方向の風が吹くことにより、風上側の換気口の開閉材は小屋裏空間側と屋外側との差圧によって該換気口を閉じ状態に保持すると共に、風下側の換気口の開閉材は小屋裏空間側と屋外側との差圧によって該換気口を開き、その差圧の作用で小屋裏空間側の空気が風下側の換気口を通じて屋外に吸い出されるようになされている。【選択図】      図１
2005180062.tif 000002
【特許請求の範囲】
【請求項１】
棟を挟む両側にそれぞれ、小屋裏空間側と屋外とを連通する換気口が設けられると共に、各換気口に該換気口を開閉する開閉材が設けられ、
棟線方向と直交する横方向の風が吹くことにより、風上側の換気口の開閉材は小屋裏空間側と屋外側との差圧によって該換気口を閉じ状態に保持すると共に、風下側の換気口の開閉材は小屋裏空間側と屋外側との差圧によって該換気口を開き、その差圧の作用で小屋裏空間側の空気が風下側の換気口を通じて屋外に吸い出されるようになされていることを特徴とする棟換気構造。
【発明の詳細な説明】
【技術分野】
【０００１】
本発明は、棟換気構造に関する。
【背景技術】
【０００２】
住宅等の建物において、従来より、種々の棟換気構造が提供されているが、風上側での降雨による雨水の浸入を防ぐ目的で換気口が複雑に入り組んだ形状をしており、そのため、換気のための通気抵抗が大きくなってしまい、高い換気性能を確保するのが難しいという問題があった。
【発明の開示】
【発明が解決しようとする課題】
【０００３】
本発明は、上記のような従来の問題点に鑑み、風による雨水の浸入を防ぐことができ、しかも、高い換気性能を確保することができる棟換気構造を提供することを課題とする。
【課題を解決するための手段】
【０００４】
上記の課題は、棟を挟む両側にそれぞれ、小屋裏空間側と屋外とを連通する換気口が設けられると共に、各換気口に該換気口を開閉する開閉材が設けられ、
棟線方向と直交する横方向の風が吹くことにより、風上側の換気口の開閉材は小屋裏空間側と屋外側との差圧によって該換気口を閉じ状態に保持すると共に、風下側の換気口の開閉材は小屋裏空間側と屋外側との差圧によって該換気口を開き、その差圧の作用で小屋裏空間側の空気が風下側の換気口を通じて屋外に吸い出されるようになされていることを特徴とする棟換気構造によって解決される。
【０００５】
この棟換気構造では、風上側では、換気口が開閉材で閉じられることで、降雨による雨水の浸入が防がれる。また、風下側では、換気口は開いているが、風下側であるゆえ雨水の浸入を受けにくく、しかも、風下側では、開閉材を挟む小屋裏空間側と屋外側との差圧によって小屋裏空間側の空気が風下側の換気口を通じて屋外に吸い出されるようになされているので、雨水の浸入を受けにくい。こうして、風による雨水の浸入を風上側においても風下側においても防ぐことができる。
【０００６】
しかも、換気口が開閉材で開閉されることによって雨水の浸入を防ぐ構造であるから、換気口を入り組んだ複雑の形状にする必要はなく、そのため、風下側の開いた換気口において、換気のための通気抵抗を低くすることができ、また、小屋裏空間側と屋外側との差圧によって小屋裏空間側の空気が風下側の換気口を通じて屋外に吸い出されるので、高い換気性能を確保することができる。
【０００７】
加えて、開閉材は、自然の風を利用し、小屋裏空間側と屋外側との差圧によって、開状態に保持されたり、閉状態に保持されたり、開閉の切換えが行われたりするようになされているので、モーターなどの開閉駆動手段を組み込む必要がなく、雨水の浸入防止と換気性能の確保とを簡素な構成で実現することができる。
【発明の効果】
【０００８】
本発明は、以上のとおりのものであるから、風による雨水の浸入を防ぐことができ、それでいて、高い換気性能を確保することができ、しかも、それらを簡素な構成で実現することができる。
【発明を実施するための最良の形態】
【０００９】
次に、本発明の実施最良形態を図面に基づいて説明する。
【００１０】
図１に示す実施形態の棟換気構造において、１，１は棟を挟む両側の屋根傾斜部であり、屋根傾斜部１，１は互いに間隔をおいてそれらの間が開放され、そこに棟換気用棟包み材２が設置され、この棟包み材２によって、棟を挟む両側にそれぞれ、小屋裏空間３側と屋外とを連通する換気口４，４が設けられている。
【００１１】
各換気口４，４にはそれぞれ、開閉材としての開閉板５，５が備えられ、各開閉板５，５は、その上端部が換気口４，４の上縁部にヒンジ６，６で取り付けられて垂れ下がり状態に備えられている。そして、各開閉板５，５は、垂れ下がり状態からヒンジ６，６を中心として内方に回動することができないようになされていて、その回動阻止状態において換気口４は閉じられた状態となる一方、ヒンジ６，６を中心として外方に回動することができるようになされていて、その回動により換気口４，４が開かれるようになされている。なお、２ａは中央の仕切り部、２ｃ，２ｃは外カバー部である。
【００１２】
そして、図２（イ）に示すように、棟線方向と直交する横方向の風Ｗ１が一方の側から吹くことにより、風上側の換気口４の開閉板５は小屋裏空間側と屋外側との差圧によって該換気口４を閉じ状態に保持すると共に、風下側の換気口４の開閉板５は小屋裏空間側と屋外側との差圧によって該換気口４を開き、その差圧の作用で小屋裏空間３側の空気が風下側の換気口４を通じて屋外に吸い出されるようになされている。また、棟線方向と直交する横方向の風Ｗ２がもう一方の側から吹く場合も、図２（ロ）に示すように、同様に、風上側の換気口４の開閉板５は小屋裏空間側と屋外側との差圧によって該換気口４を閉じ状態に保持すると共に、風下側の換気口４の開閉板５は小屋裏空間側と屋外側との差圧によって該換気口４を開き、その差圧の作用で小屋裏空間３側の空気が風下側の換気口４を通じて屋外に吸い出されるようになされている。
【００１３】
上記の棟換気構造では、図２（イ）（ロ）に示すように、風上側では、換気口４が開閉板５で閉じられることで、降雨による雨水の浸入が防がれ、風下側では、換気口４は開いているが、風下側であるゆえ、雨水の浸入を受けることはなく、また、風下側では、開閉板５を挟む小屋裏空間側と屋外側との差圧によって小屋裏空間３側の空気が風下側の換気口４を通じて屋外に吸い出されるので、風による雨水の浸入を風上側においても風下側においても防ぐことができる。
【００１４】
しかも、換気口４，４が開閉板５，５で開閉されることによって雨水の浸入を防ぐ構造であるから、換気口４を入り組んだ複雑の形状にする必要はなく、そのため、風下側の開いた換気口４において、換気のための通気抵抗を低くすることができ、また、開閉板５を挟む小屋裏空間側と屋外側との差圧によって小屋裏空間３側の空気が風下側の換気口４を通じて屋外に吸い出されるので、高い換気性能を確保することができる。
【００１５】
加えて、開閉板は、自然の風Ｗ１，Ｗ２を利用し、小屋裏空間側と屋外側との差圧によって、開状態に保持されたり、閉状態に保持されたり、開閉の切換えが行われたりするようになされているので、モーターなどの開閉駆動手段を組み込む必要がなく、雨水の浸入防止と換気性能の確保とを簡素な構成で実現することができる。
【００１６】
以上に、本発明の実施形態を示したが、本発明はこれに限られるものではなく、発明思想を逸脱しない範囲で各種の変更が可能である。例えば、上記の実施形態では、特定形態の棟包み材を示したが、具体的形態に制限はなく、要は、棟線方向と直交する横方向の風が吹くことにより、風上側の換気口の開閉材は小屋裏空間側と屋外側との差圧によって該換気口を閉じ状態に保持すると共に、風下側の換気口の開閉材は小屋裏空間側と屋外側との差圧によって該換気口を開き、その差圧の作用で小屋裏空間側の空気が風下側の換気口を通じて屋外に吸い出されるような形態をしていればよい。
【００１７】
また、上記の実施形態では、無風状態でいずれの換気口４，４も開閉板５，５で閉じられた状態となる場合を示しているが、例えば、棟包み材２の形態が無風状態での換気口４，４を通じた雨水等の浸入を防ぎうる形態をしているのであれば、無風状態においていずれの換気口４も開かれた状態となっていてもよい。
【００１８】
更に、上記の実施形態では、換気口を開閉する開閉材として、開閉板５，５を用いた場合を示したが、板のものに限らず、要は、小屋裏空間側と屋外側との差圧によって換気口４，４開閉する動きを行いうるようなものであればよく、ピンポン玉などの軽量な球体が用いられてもよい。
【図面の簡単な説明】
【００１９】
【図１】実施形態の棟換気構造を示す断面正面図である。
【図２】図（イ）及び図（ロ）はそれぞれ作動状態を示す断面正面図である。
【符号の説明】
【００２０】
１…屋根傾斜部
３…小屋裏空間
４…換気口
５…開閉板（開閉材）
【図１】
2005180062.tif 000003
【図２】
2005180062.tif 000004